(57)【要約】      （修正有）【課題】コーン本体に挿嵌する媒体表示用六角円錐体の本体を介して、標示ラベル及び標示パネルを列設表示する静的な広告と、自然風を利用した回転看板に係る装置で表示する動的な広告を連設表示する媒体表示用六角錐体の表示具を提供する。【解決手段】媒体表示用六角錐体に配設する標示ラベル貼着面と標示パネル、とを併設表示する静的な広告と、回転看板に係る該媒体表示用六角円錐体を基盤にして連設されるリニアブッシュベアリング３０に軸着されるネジ付きシャフトを介して並列された回転看板ボックス２２及び照明標示パネルボックス２５を軸架し、並列して自然風で回転させる動的な広告を連設表示する多目的表示の媒体表示用六角錐体の表示具。【選択図】図１６
0003160760.tif 000002
【実用新案登録請求の範囲】
【請求項１】
本考案は、コーン本体（１１ａ）を嵌入して表示される左右、前後、斜方面からの多角的に視認性を高められる六角錐体の特徴が活かされる六角錐筒状に形成された底体部（２）及び蓋体部（３）を有する媒体表示用六角錐体（１）の側面の６面のうち４面（ロ辺、ハ辺、ホ辺、ヘ辺）に配設されたそれぞれの一面の表示面積が拡大される標示ラベル貼着面（８）に貼着される標示ラベル（９）は、全方向に大きく表示できる静的な広告を立設により六角錐体の表示手段として広告媒体の視認性を高める多目的に表示してなることを特徴とする媒体表示用六角錐体の表示具。
【請求項２】
標示パネル装着孔（７）を有する前記媒体表示用六角錐体の側面の６面のうち２面（イ辺、二辺）に構成される背面（イ辺）、及び正面（ニ辺）の両面において、それぞれの一面の表示面積が拡大され、矢印（→）など横書き表示文字が可能な方向指示板に構成される標示パネル（１０ａ、１０ｂ）を方向自在に嵌挿されて螺合される静的な広告と、請求項１に記載の前記静的な広告と、を併設されて立設による視認性を高める多目的に表示してなることを特徴とする請求項１に記載の媒体表示用六角錐体の表示具。
【請求項３】
回転看板を形成するために、前記媒体表示用六角錐体（１））を基盤として前記蓋体部（３）の上方に螺設されるプレート固定台座（３９）の上方及び看板設置用プレート台座（３４）の下方、それぞれにコの字状スペーサ（３８）を左右に螺設してなる回転看板の基盤が形成される。
さらに、前記看板設置用プレート台座（３４）の上方に螺設されたリニアブッシュベアリング（３０）に軸着された回転看板の主軸にされるネジ付きシャフト（１９）に、回転看板に係る回転看板ボックス（２２）及び照明標示パネルボックス（２５）を一対に併設されるチャネル状標示パネルボックス装着台座（３５）と、照明表示に係る機器設置のスペーサ（３７）をそれぞれ嵌挿し、ソーラーパネルボックス（１３）を軸架してなる自然風を利用した回転看板で表示される動きのある広告媒体の動的な広告と、請求項１及び第２項に記載の前記静的な広告を視角に訴える形で組み合わされる一体化して連設される立設による視認性を高める多目的に表示してなることを特徴とする請求項１または請求項２に記載の媒体表示用六角錐体の表示具。
【考案の詳細な説明】
【技術の分野】
【０００１】  本考案は、左右、前後、斜方面からの多角的に視認性を高められる六角錐体の特徴が活かされる六角錐筒状に形成された底体部（２）及び蓋体部（３）を有する媒体表示用六角錐体の本体の側面の６面のうち４面（ロ辺、ハ辺、ホ辺、ヘ辺）に配設された着脱可能な標示ラベルを貼着する標示ラベル貼着面それぞれの一面の表示面積が拡大されてコーン本体に媒体表示用六角錐体の本体を挿嵌して表示される静的な広告と英語文字など横書き表記される広告媒体の誘導版として構成される該媒体表示用六角錐体の側面（イ辺、ニ辺）の２面に配設された方向自在に構成される標示パネル装着孔に螺設される標示パネルに、矢印（→）の方向指示表記または矢印（→）表記面にＰＲ文字表記される誘導版に構成される標示ラベルを貼着してなる標示パネルを併設してなる静的な広告を提供する多目的表示の媒体表示用六角錐体の表示具。
【０００２】  さらに、昼と日没後も視認性を高められる広告媒体の回転看板に係る該媒体表示用六角錐体をコーン本体のコーン先端部嵌入孔から挿嵌されてなる回転看板の基盤として構成される。
回転看板に係るソーラーパネルボックス機器類を載設し、所要数設けた部材取付け孔を介して該蓋体部に螺設されてなる連動して表示する動的な広告として多目的にＰＲ効果を一段と高めることができる媒体表示用六角錐体の表示具である。
加えて、コーン本体に挿嵌して表示される前記静的な広告とＰＲ効果を高められる前記動的な広告とを連設してなる媒体表示用六角錐体の表示具である。
【背景技術】
【０００３】  従来、道路上に配置する道路用コーン標識具として、たとえば、特許文献１に提案されたものが知られている。【０００４】
【特許文献１】  特開平１０−１４７９１４
【０００５】  従来、道路上に配置する道路用コーン標識具として、たとえば、特許文献２に提案されたものが知られている。【０００６】
【特許文献２】  特開２００４−２３８８７７（Ｐ２００４−２３８８７７Ａ）
【０００７】
【非特許文献】
【０００８】  従来、道路上に配置する道路用コーン標識具において、コーン本体の外周面に貼着または捲着して広告を表示される蛍光テープなどの反射テープ類の標識具、コーン本体の外周面に捲着して表示されるキャップ状の「コーン標示カバー」標識具、コーン先端部に挿着表示するキャップ状の媒体標識具、などが知られている。
また、立設して媒体表示する回転看板においては、自然風を利用して回転させる回転看板やモーターによるネオン、水銀灯照明、電照式スタンドの回転看板などが知られている。【０００９】  道路上に配置する道路用コーン標識具の形状は、円錐型、角錐型、ポール型などが知られているが、円錐状面、角錐状面、球状面などの広告媒体の表記文字が表記される表示面積が狭いてため、視認性に乏しく広告媒体表示効果が薄かった。
【考案の概要】
【考案が解決しようとする課題】
【００１０】  上記、特許文献１または特許文献２に記載されたような道路用コーン標識具においては、用具の運搬改善や収納改善には改良が認められるが、広告媒体の表示効果を向上させられる構造がなされていない。
その理由は、コーン標示カバーなどの貼着及び捲着される円錐状面、角錐状面、ポール球状面などの表示手段においては、表示面積が限られ媒体表示面積の改善がなされていないため、道路用コーン標示具としては広告媒体効果が発揮されない。【００１１】  本考案はこのような問題点を解決することを目的としている。【００１２】  従来技術の問題点を列挙すると次のようである。【００１３】  ・円錐型、角錐型又はポール型などの道路用コーンの広告媒体用としてのコーンステッ    カー、コーン標示カバーなどの貼着や捲着される円錐状面、角錐状面、球状面などに    おいては、媒体表示面積が狭いため、道路用コーン標示具としては広告媒体効果が発    揮されていなかった。【００１４】  ・円錐型、角錐型又はポール型などの道路用コーンの広告媒体表示においては表示面積    が限定される円錐状面、角錐状面および球状面などの限られた狭い面積に、反射テー    プやＰＲタック紙などを捲着して表示される表示文字は視認性に乏しく、注意喚起が    薄れ表示効果を発揮していなかった。【００１５】  ・円錐型、角錐型又はポール型などの道路用コーンの広告媒体表示は表示面積が限定さ    れるとともに円錐状面、角錐状面や球状面などの狭い面積に装着または捲着して表示    するため、左右、前後並びに、斜方からの視認性が乏しく広告媒体表示効果がなかっ    た。【００１６】  ・円錐型、角錐型又はポール型などの道路用コーンの広告媒体表示は縦書き表示が主流    であり、日本語など縦書き表示においては媒体表示面積が狭く、表記文字が限定され    る広告媒体表示には効果がなかった。【００１７】  ・また、英語などの外国語などの横書き表示および誘導表示の矢印（→）においては、    限られた形状の狭い面積での表示手段は広告媒体表示には限界があった。【００１８】  ・そのため、案内、注意などを喚起表示する文字を印字または書き入れるスペースを有    する道路用コーン標識具がなく、工事内容や交通規制などにおいて道路用コーン標識    具は不要な存在感があった。【００１９】  ・一般道、高速道路で運転する走行中には、円錐型、角錐型又はポール型などの道路用    コーンの広告媒体表示は円錐状、角錐状や球状などの限られた狭い面積のため、左右    面、前後面、斜方面からの視認性に乏しく、走行中のドライバーによる視線は、前方    または斜方が主流で、注意喚起される道路用コーン標識具の表示効果がなかった。【００２０】  ・従来の道路用コーン標識具には蛍光テープなどの反射テープやタック紙などを貼着、    捲着および装着する表示手段が主流で、円錐状、角錐状および球状の限られた狭い面    積においての表示には、昼夜を問わず注意喚起される表示効果が薄かった。【００２１】  本考案は、かかる点に鑑みてなされたもので次のような課題を解決した媒体表示用六角錐体の表示具を提供することを目的とする。【００２２】  ・円錐型、角錐型又はポール型など従来の道路コーンに係る広告媒体表示の欠点を取り    除くため、広告媒体の表示面積を拡大される六角錐体の特徴を活かされる媒体表示用    六角錐体の表示具を提供。【００２３】  ・広告媒体の表示面積を拡大することによる標示ラベルを貼着して表示してなる静的な    広告を提供する前記媒体表示用六角錐体の表示具。【００２４】  ・広告媒体表示の表示面積を拡大することによる標示パネルを螺着して方向自在に表示    してなる静的な広告を提供する前記媒体表示用六角錐体の表示具。【００２５】  ・昼夜を問わず広告媒体表示効果を上げる回転看板標示ラベルを貼着してなる動的な広    告の回転看板ボクッスと、発光ダイオード、ＬＥＤ（Ｌｉｇｈｔ  Ｅｍｉｔｔｉｎｇ      Ｄｉｏｄｅの略）に構成され、太陽電池を電源にしたＬＥＤ照明具を含んだ内照し    て表示されるソーラーパネルボクッスを併設してなる回転看板に自然風を利用して回    転させる主軸のネジ付きシャフトをリニアブッシュベアリングに嵌挿するとともに、    ソーラーパネルボクッスに嵌挿してなる連動して表示する動的な広告を一体化して表    示する前記媒体表示用六角錐体の表示具。【００２６】  ・前記媒体表示用六角錐体の側面の６面のうち４面（ロ辺、ハ辺、ホ辺、ヘ辺）におい    ては表示文字が拡大される表示構成のため、ＰＲ効果を一段と高める前記媒体表示用    六角錐体の表示具。【００２７】  ・前記媒体表示用六角錐体の側面の６面のうち２面（イ辺、ニ辺）においては、回転自    在に方向変更が可能な螺設した構造に構成しているため、横文字表示による横方向に    誘導する矢印（→）表示はＰＲ効果を一段と高めることができる前記媒体表示用六角    錐体の表示具。【００２８】  ・前記２面（イ辺、ニ辺）においては、横書き表示の英語などの外国語の表記文字を大    きく表記される構造で、方向指示板に構成した標示パネルに貼着して表示する矢印面    （→）に広告誘導文字の印字表示は、ＰＲ効果を一段と高めることができる前記媒体    表示用六角錐体の表示具。
【課題が解決しようとする手段】
【００２９】  本考案の目的は、コーン本体に挿嵌して表示される前記媒体表示用六角錐体の側面の６面に配設された４面（ロ辺、ハ辺、ホ辺、ヘ辺）の標示ラベルによる表示手段と、前記媒体表示用六角錐体の側面の６面に配設された２面（イ辺、ニ辺）においては、横文字表示の面積が拡大されて表示される方向自在にされる標示パネルによる矢印（→）などの表示手段が併設表示される全方向の視認性を高めることを目的にしたものである。
【００３０】  さらに、昼と日没後でも視認性を高める広告媒体の向上を図る該媒体表示用六角錐体を基盤にして、回転看板に係る表示手段を配設してなる注意喚起される視認性が高められる連動して表示する動的な広告と、前記静的な広告とを連設して表示する該媒体表示用六角錐体の表示具を提供することを目的にしたものである。
【００３１】  前記静的な広告と、前記動的な広告とを連設されてなる該媒体表示用六角錐体の表示具は、屋外または屋内の所定の場所において使用されるものであるが、回転看板においては転倒防止を図るため強風時の回転ストッパー具を取り付け、コーン本体のベース部にコーンウエイト又はコーンベットなど転倒防止に対応される部材を装着することができる。
【００３２】  加えて、複数による道路コーン設置表示はコーンバー、コーンチェーン、コーンロープなどを装着、又は回転看板に係る装置部材には軽量を図るプラスチックなど軽量の材質を利用することと、回転看板に係る装置部材を合成樹脂成型による軽量を図ることによるバランスのよい立設表示されるコーン本体に重量負荷を軽減する構造に構成される。
【００３３】  第１考案の該媒体表示用六角錐体の表示具は、コーン本体に挿嵌して表示される媒体表示用六角錐体の側面の６面のうち４面（ロ辺、ハ辺、ホ辺、ヘ辺）に配設されたそれぞれの一面の表示面積が拡大される標示ラベル貼着面に大きな標示ラベルを貼着して表示される前記４面において、全方向にＰＲ効果を一段と高めることができる多角的に表示してなる静的な広告を提供する。
【００３４】  第２考案の該媒体表示用六角錐体の表示具は、第１考案の該媒体表示用六角錐体の表示具において、コーン本体に挿嵌表示される媒体表示用六角錐体の側面の２面（イ辺、ニ辺）に配設された標示パネル装着孔に方向指示板に構成された標示パネルを方向自在に螺着して広告媒体の表示を背面及び正面（もしくは前後）の前記２面において、矢印（例：→）など誘導表示される横書き文字で表示してなる静的な広告を提供する。
【００３５】  第３考案の該媒体表示用六角錐体の表示具は、第１考案又は第２考案の該媒体表示用六角錐体の表示具において、回転看板に係る自然風を利用して回転表示するためリニアブッシュベアリングに回転看板の主軸となるネジ付きシャフトを軸架されるソーラーパネルボックス嵌合部材に螺着されたＴ状支軸固定部材を嵌挿し、回転看板に係る昼間用の標示パネルに標示ラベルを貼着表示する回転看板ボックス及び、夜間用の太陽電池を電源として照明標示パネルボックスを一体化してなる回転看板に構成される両面看板を構成してなる垂設して軸架される連動して表示する動的な広告と、前記静的な広告とを連設表示してなる媒体表示用六角錐体の表示具を提供する。
【考案の効果】
【００３６】  以上の説明から明らかなように、本考案による、媒体表示用六角錐体の表示具によって、前記媒体表示用六角錐体の側面の６面に配設された標示ラベル貼着面の４面（ロ辺、ハ辺、ホ辺、ヘ辺）に貼着表示する標示ラベルにおいては、六角錐体の特徴を活かされる左右面、前後面及び斜方面から全方向の表示手段は視認性が高められＰＲ効果を一段と高めることができる。
【００３７】  また、前記媒体表示用六角錐体の側面に標示パネル装着孔を設けた２面（イ辺、二辺）に螺着表示する標示パネルにおいては、前記媒体表示用六角錐体の側面の前後（もしくは左右）に方向自在に螺着して表示する静的な広告の表示手段としては、従来の道路コーン装着の表示は、ほとんどが縦書き表示を余儀なくされた表示手段を解決するためになされたものである。
【００３８】  加えて、横書きの英語など外国語の広告表示が可能になり、誘導版として表示する→（矢印）など記号で表示する矢印（→）表示面に大きな文字表示することにより、ＰＲ効果を一段と高めることができる媒体表示用六角錐体の表示具を提供する。
【００３９】  さらに、ＰＲ効果を一段と高めるため、媒体表示用六角錐体の本体に配設した回転看板に係る装置として、昼間用の標示ラベルを貼着して表示する回転看板ボクッスと、夜間用の太陽電池を電源にしたＬＥＤ照明具による内照して表示される照明標示パネルボクッスを併設一体化してなる回転体を自然風で回転させて連動して表示する動的な広告と、前記静的な広告とを連設して表示される。
【００４０】  このように、本考案の六角錐体の特徴を活かした道路上に配置する全方向の表示においては、歩行中の歩行者は歩道側、走行中のドライバーは道路側からの両面においての視認性が高められ、注意喚起にも役立つ。
【００４１】  加えて、本考案の採用により、ビル、マンション、個人家屋の玄関前の出入り口において、駐輪、駐車など迷惑な行為が取り除かれ、無人状態の道路、登山道路、観光地などにおいてのマナー標示、いたずら禁止標示、落書き禁止標示など景観を損なわず表示する標識としてスポンサー側の宣伝効果を高めることができ、ニーズが高まる。
【００４２】  さらに、屋内においては、イベントなど矢印（→）記号で誘導される六角錐体の表示手段は視認性に優れており誘導係員の削減などコスト削減につながるなど多岐に渡って利用可能であり、案内、広告、広報媒体として活用され普及が期待できる。
【００４３】  また、本考案の媒体表示用六角錐体の表示具は、既存の道路コーンに挿嵌される対応の構造に構成されているのでコスト削減につながる。
【００４４】  加えて、本考案の媒体表示用六角錐体の表示具は、道路環境のニーズに合わせた道路保安用品、交通安全用品、景観向上、犯罪防止の抑制、様々な形態に対応されると同時に、工事現場、道路、駐車場、繁華街などにおいて汚いイメージの払しょくはもとより、景観を損なわず表示する標識と、ＰＲ効果を一段と高め視認性の向上による注意喚起にも役立つ。
【図面の簡単な説明】
【００４５】
【図１】（ａ）は媒体表示用六角錐体の斜視図、（ｂ）は媒体表示用六角錐体の断面図。
【図２】（ａ）は媒体表示用六角錐体の回転斜視図、（ｂ）は媒体表示用六角錐体の回転平面図。
【図３】媒体表示用六角錐体の分解平面図。
【図４】（ａ）〜（ｆ）は媒体表示用六角錐体に装着または、貼着表示する部材各種。
【図５】（ａ）は媒体表示用六角錐体をコーン本体に挿嵌し、標示基盤の標示パネルを装着した状態を示す概略斜視図。（ｂ）は媒体表示用六角錐体をコーン本体に嵌入し、標示基盤の標示パネルを装着した状態を示す概略平面図。
【図６】（ａ）は媒体表示用六角錐体をコーン本体に挿嵌し、媒体表示用六角錐体の側面（ロ辺、ハ辺、ホ辺及びヘ辺）に設けた標示ラベル貼着面に標示ラベルを貼着した状態と、媒体表示用六角錐体の側面（イ辺、及びニ辺）の前後に標示パネルを装着し、標示パネルの貼着面に標示ラベルを貼着した状態を示す要部概略斜視図。（ｂ）は媒体表示用六角錐体をコーン本体に挿嵌し、それぞれの側面に設けた標示ラベル貼着面に標示ラベルを貼着し、それぞれの側面に標示パネルを装着した標示パネル装着面に標示ラベルを貼着した状態を示す概略平面図。
【図７】（ａ）はコの字状スペーサの斜視図。（ｂ）はプレート固定台座の斜視図。（ｃ）はコの字状スペーサの斜視図。
【図８】（ａ）は看板設置用プレート台座の斜視図。（ｂ）はリニアブッシュベアリングの斜視図。
【図９】（ａ）は機器設置のスペーサの斜視図。（ｂ）はチャネル状標示ラベル装着台座の斜視図。
【図１０】（ａ）は回転看板ボックスに設けた回転看板ラベル貼着面を示す平面図。（ｂ）は回転看板ボックスに回転看板ラベルを貼着した態様を示す断面図。（ｃ）は回転看板ボックスに回転看板ラベルを貼着した態様を示す平面図。
【図１１】（ａ）は照明標示パネルボックスの内臓部を示す平面図。（ｂ）は照明標示パネルボックスに広告透明パネルを装着した状態を示す断面図。（ｃ）は照明標示パネルボックスに広告透明パネルを装着した状態を示す平面図。
【図１２】ネジ付きシャフトの斜視図。
【図１３】（ａ）はＴ状支軸固定部材の斜視図。（ｂ）はソーラーパネルボックス嵌合部材。
【図１４】（ａ）はソーラーパネルボックスに太陽電池パネルを装着した態様を示す斜視図。（ｂ）はソーラーパネルボックスに嵌合されたソーラーパネルボックス嵌合部材の裏面に各種部材を装着した態様を示す斜視図。
【図１５】ソーラーチャージコントローラ概略ブロック図。
【図１６】本考案に係る立設の外観を示した実施の形態を示す概略実施図。
【図１７】本考案に係る本体の分解の態様を示す概略斜視図。
【考案を実施するための形態】
【００４６】以下、本考案の実施例について図面を参照しながら説明する。
【００４７】    図１の（ａ）は、本考案の実施例の外観を示す。
六角錐体が活用される媒体表示用六角錐体の側面６の６面のうち４面（ロ辺、ハ辺、ホ辺、ヘ辺）に設けた標示ラベル９を貼着される標示ラベル貼着面８と、該媒体表示用六角錐体の側面６の６面のうち２面（イ辺、ニ辺）の両面に標示パネル１０を螺設する標示パネル装着孔７を設けるとともに、媒体表示用六角錐体１の蓋体部３の中央部にコーン先端部嵌入孔４ａを設け、回転看板に係る装置を螺設する所要数の部材取付け孔５を設けられた該媒体表示用六角錐体１の斜視を示す。
【００４８】  図１の（ｂ）は、該媒体表示用六角錐体１の蓋体部３の中央部にコーン先端部嵌入孔４ａを設け、回転看板に係る装置を螺設する所要数の部材取付け孔５を設け、該媒体表示用六角錐体１の底体部３の中央部にコーン本体部嵌入孔４ｂを設けた該媒体表示用六角錐体１の断面を示す。
【００４９】  図２の（ａ）は、該媒体表示用六角錐体１の底体部３の中央部に、コーン本体部嵌入孔４ｂを設けた回転された該媒体表示用六角錐体１の斜視を示す。
【００５０】  図２の（ｂ）は、回転された該該媒体表示用六角錐体１の平面を示す。
【００５１】  図３は、該媒体表示用六角錐体の側面６の６面のうち４面（ロ辺、ハ辺、ホ辺、ヘ辺）の側面に設けた標示ラベル貼着面８に、それぞれ媒体文字を印字した該標示ラベル９を貼着した態様を示すとともに、該媒体表示用六角錐体の側面６の６面のうち２面（イ辺、ニ辺、）の側面にそれぞれ設けた標示パネル装着孔７を設けた分解の平面を示す。
【００５２】  図４の（ａ、ｄ）は、該標示ラベル貼着面８にそれぞれの媒体文字を印字した該標示ラベル９を貼着した状態を示すとともに、図４の（ｂ、ｃ、ｅ、ｆ）は、それぞれの媒体文字を印字したそれぞれの該標示ラベル９の平面を示す。
【００５３】  図５の（ａ）は、ベース部１１ｃを有するコーン本体１１ａに、本考案の媒体表示用六角錐体の表示具を形成する該媒体表示用六角錐体１を挿嵌し、矢印（→）の記号などで表示する横書き表示をする標示パネル１０を該媒体表示用六角錐体の側面６の６面のうち２面（イ辺、ニ辺）の両面に螺設した状態の斜視を示す。
【００５４】  図５の（ｂ）は、該媒体表示用六角錐体の側面６の６面のうち２面（イ辺、ニ辺）の両面に螺設した状態の上方からの平面を示す。
【００５５】  図６の（ａ）は、該コーン本体１１ａに、該媒体表示用六角錐体１を挿嵌し、該媒体表示用六角錐体の側面６の前面のニ辺の該標示パネル装着孔７に矢印（→）の記号などで表示する横書き表示をする該標示パネル１０を螺設し、該媒体表示用六角錐体の側面６の後面のイ辺の標示パネル装着孔７に該標示パネル１０を螺設された状態と、該媒体表示用六角錐体の側面６のハ辺及びホ辺の該標示ラベル貼着面８に、それぞれの媒体文字を印字した該標示ラベル９を貼着した状態の斜視を示す。
【００５６】  図６の（ｂ）は、該コーン本体１１ａに、該媒体表示用六角錐体１を挿嵌し、該媒体表示用六角錐体の側面６の前面のニ辺に該標示パネル１０を螺設し、該媒体表示用六角錐体の側面６の後面のイ辺に該標示パネル１０を螺設された状態の上方からの平面を示す。
【００５７】  図７の（ａ）は、回転看板の基台とするコの字状スペ−サ３８の下部に所要数設けた部材取付け孔５を介して該媒体表示用六角錐体１に構成した所要数の該部材取付け孔５を有する蓋体部３にプレート固定台座３９を螺設し、該コの字状スペ−サ３８の上部に所要数設けた部材取付け孔５を介して回転看板設置用プレート台座３４の左側に螺設する該コの字状スペ−サ３８の斜視を示す。
【００５８】  図７の（ｂ）は、コーン本体１１ａに構成した所要数の該部材取付け孔５を有する蓋体部３に螺設する回転看板に係る所要数の該部材取付け孔５を有するプレート固定台座３９の斜視を示す。
【００５９】  図７の（ｃ）は図７の（ａ）の同作用型で右側に螺設する該コの字状スペ−サ３８の斜視を示す。
【００６０】  図８の（ａ）は、回転看板の基軸であるネジ付きシャフト１９を嵌入するリニアブッシュベアリング取付孔３１を有するリニアブッシュベアリング３０をキャップボルト３２で螺設するとともに、回転看板の基台とする左右の該コの字状スペ−サ３８の上部に螺設する該部材取付け孔５と、該リニアブッシュベアリング３０を螺設する設けたキャップボルトベアリング部固定用螺嵌孔３３を所要数設けた看板設置用プレート台座３４の斜視を示す。図８の（ｂ）は該リニアブッシュベアリング３０の斜視を示す。
【００６１】  図９の（ａ）は、回転看板に係る充電池４１およびソーラーコントローラ４０を搭載し固定する部材取付け孔５を所要数設け、中央部にネジ付きシャフト挿通孔２０ｂと、所要数の配線用挿入孔２１を設けた機器設置のスペーサ３７の斜視を示す。
【００６２】  図９の（ｂ）は、回転看板に係る昼間用の該標示パネル１０に該標示ラベル９を貼着表示する回転看板ボックス２２と、夜間用の太陽電池を電源にする照明標示パネルボックス２５とを一体化してなる回転体を構成してなる両面看板に自然風を利用して回転表示する基台を構成するチャネル状標示パネルボックス装着台座３５の中央部に回転看板の基軸になるネジ付きシャフト１９を挿入する該ネジ付きシャフト挿通孔２０ｂを設け、左側面には照明標示パネルボックス２５を螺設する所要数の照明標示パネルボックス装着孔３６ａと、太陽電池パネルからの出力ケーブル４２や負荷への供給ケーブル４３を挿入する所要数の該配線用挿入孔２１を設けるとともに、右側面には該回転看板ボックス２２を螺設する所要数の回転看板ボックス装着孔３６ｂを設けた該チャネル状標示パネルボックス装着台座３５の斜視を示す。
【００６３】  図１０の（ａ）は、回転看板に係る該回転看板ボックス２２に設けた回転看板ラベル貼着面２３ｂの平面を示す。
図１０の（ｂ）は看板ボックス装着孔３６ｂ有する該チャネル状標示パネルボックス装着台座３５に螺設される該回転看板ボックス２２に嵌合される回転看板ボックス嵌合部材２６を嵌挿された態様の該回転看板ボックス２２の表面に回転看板ラベル２３ａを貼着した態様の断面を示す。
図１０の（ｃ）はその平面を示す。
【００６４】  図１１の（ａ）は、回転看板に係る該照明標示パネルボックス２５に嵌合された照明標示パネルボックス嵌合部材２６に嵌挿したＬＥＤ照明具装着部材２７に内照表示する所要数のＬＥＤ照明具２８を嵌入した内部構造に平面を示す。
【００６５】  図１１の（ｂ）は該照明標示パネルボックス２５に嵌合された該照明標示パネルボックス嵌合部材２６に所要数の該ＬＥＤ照明具２８を嵌入し、該照明標示パネルボックス２５の表面に設けた広告透明パネル２９を嵌挿する嵌合面に該広告透明パネル２９を嵌合した内部構造の断面を示す。図１１の（ｃ）はその平面を示す。
【００６６】  図１２は、回転看板に係る軸架して自然風を利用して回転させる基軸のネジ付きシャフト１９の斜視を示す。
【００６７】  図１３の（ａ）は、回転看板に係る太陽電池を構成するソーラーパネルボックス１３を支える回転に係る該ネジ付きシャフト１９を嵌入するＴ状支軸固定部材１８の斜視を示す。
図１３の（ｂ）は該ソーラーパネルボックス１３に嵌合する所要数の電源プラグ１６を嵌挿するプラグ嵌挿口１７、所要数のケーブルを挿入する配線用挿入孔２１、Ｔ状支軸固定部材１８を皿ネジ１２ａで螺設する所要数の部材取付け孔５を設けたソーラーパネルボックス嵌合部材１５の斜視を示す。
【００６８】  図１４の（ａ）は、回転看板に係る太陽光から太陽電池を構成する太陽電池パネル１４を装着した態様のソーラーパネルボックス１３の斜視を示す。
【００６９】  図１４の（ｂ）は、回転された該ソーラーパネルボックス１３に嵌合される該ソーラーパネルボックス嵌合部材１５に該ネジ付きシャフト１９を嵌挿するネジ付きシャフト嵌挿口２０ａを有する該Ｔ状支軸固定部材１８の所要数の該部材取付け孔５に該皿ネジ１２ａで固定し、所要数の電源プラグ１６を嵌挿された態様の該ソーラーパネルボックス１３が回転された裏面の斜視を示す。
【００７０】図１５は、ソーラーチャージコントローラ概略ブロックを表すその平面を示す。
【００７１】図１６は、静的な広告と、動的な広告を連設した本考案の要部概要を構成した媒体表示用六角錐体の表示具の概略斜視を示す。
【００７２】図１７は、図１６の分解態様の概略斜視を示す。
【実施例】
【００７３】  本考案は、道路コーンの円錐面、角錐面及びポール面などに表示される道路用コーン標識具の表示手段を改善するため、コーン本体に嵌入される表示面積を拡大されてなる媒体表示用六角錐体の側面に縦書き表示を図る標示ラベルを貼着表示する静的広告と、六角錐体の側面を拡大してなる横書き表示を図る矢印（→）などの誘導版に構成される標示パネルの標示ラベル貼着面に標示ラベルを貼着表示する静的広告と、を併設して表示する媒体表示用六角錐体の表示具を提供するものであるが、複数連立される設置表示にはコーンバーを装着して表示してもよい、【００７４】  本考案の該媒体用六角円錐体の表示具の転倒防止や、盗難防止においては、コーン本体のベース部にコーンウエイト及びコーンベットなどを装着する【００７５】  図６の（ａ）は回転看板に係る装置を取り除いた該媒体表示用六角錐体の表示具を示すものであるが、この状態で六角錐体の特徴を活かした道路上に配置する全方向の表示手段は、歩行中の歩行者は歩道側と、走行中のドライバーは道路側からとの両面においての視認性が高められ、注意喚起にも役立つ。【００７６】  さらに、回転看板に係る装置が取り除かれた態様の図６の（ａ）を採用することにより、ビル、マンション、個人家屋の玄関前の出入り口において、駐輪、駐車など迷惑な行為が取り除かれ、ニーズが高まる。【００７７】  また、コーン本体に挿嵌されて表示する本考案の媒体表示用六角錐体の本体においては、合成樹脂などで軽量を図る成型と、同時に運搬量の軽減や保管量の軽減を図るために折り畳み構造にするとよい。【００７８】  加えて、回転させる連動して表示する動的な広告に係る部材装置を合成樹脂で成型をすることにより軽量が図られる。【００７９】  本考案は、媒体表示用六角錐体の本体に固定表示される静的な広告と、自然風を利用して回転させる連動して表示される動的な広告を連設して表示されることを目的とされているが、回転手段としてはタイマー等で全てコントロールできる、太陽電池による回転装置を導入してもよい。
【産業上の利用可能性】
【００８０】  本考案の媒体表示用六角錐体の表示具は左右、前後、斜方面の六角錐体の側面を活用して全方向からの広告媒体の表記文字や矢印（→）など誘導文字の表記面積が拡大されることによる、縦書き表記および横書き表記において、視認性が高められる構成にされたものを提供するもので、利用される要素を列挙すると次のようである。【００８１】  ・一般道において走行中のドライバーの視線は、前方または斜方を重視しているため、    本考案の媒体表示用六角錐体の表示具は多角的な全方向の表示構成の構造を提供して    いるもので、注意喚起によるマナー向上や交通事故防止につながる。【００８２】  ・高速道路において走行中のドライバーの視線は前方または斜方を重視しているが、従    来のコーン標示具は斜方面表示の欠点があり側面表示の媒体表示効果が薄かったが、    本考案に関する縦書き、誘導方向を→（矢印）など記号で表示する横書き表記におい    ては、表記面の拡大による視認性が高められ、斜方からの注意喚起による交通事故防    止改善にもつながる。【００８３】  ・車道と歩道の区切りがある環境においては、従来の道路コーンに係る工事中、駐車禁    止、駐輪禁止などの媒体表示は表示面積が狭いなど貧弱な表示を余儀なくされていた    表示手段は車道寄りに沿って接地されるのが主流であったが、本考案の六角錐体の特    徴を活かされた全方向の表示手段においては、歩行者は歩道側からの視線と、走行中    のドライバーは道路側からの視線の両面においての視認性が高められ、ＰＲ効果を一    段と高めることができる。【００８４】  ・また、ビルの２階以上の繁華街の店舗のＰＲにおいては、１階のビル前方の設置にお    いては場所を取らず、簡易な持ち運び、収納に優れた軽量に構成されている本考案は    全方向にＰＲ効果を一段と高めることができるもので普及拡大が期待される。【００８５】  ・工場、イベント会場などスペースの大きなところでの矢印（→）などの誘導表示は、    本考案を採用することにより、誘導係員などの削減でコスト削減につながる。【００８６】  ・無人状態の道路、登山道路、観光地などにおいてのマナー標示、いたずら禁止標示、    落書き禁止標示など、本考案を採用することにより、景観を損なわず表示する標識と    してスポンサー側の宣伝効果を高めることができる。
【符号の説明】
【００８７】  １      媒体表示用六角錐体
２      底体部
３      蓋体部
４ａ    コーン先端部挿通孔
４ｂ    コーン本体部挿通孔
５      部材取付け孔
６      媒体表示用六角錐体の側面（イ辺〜ヘ辺）
７      標示パネル装着孔
８      標示ラベル貼着面
９      標示ラベル
１０      標示パネル
１１ａ    コーン本体
１１ｂ    コーン先端部
１１ｃ    ベース部
１２ａ    皿ネジ
１２ｂ    大皿ネジ
１３      ソーラーパネルボックス
１４      太陽電池パネル
１５      ソーラーパネルボックス嵌合部材
１６      電源プラグ
１７      プラグ嵌挿口
１８      Ｔ状支軸固定部材
１９      ネジ付きシャフト
２０ａ    ネジ付きシャフト嵌挿口
２０ｂ    ネジ付きシャフト挿通孔
２１      配線用挿入孔
２２      回転看板ボックス
２３ａ    回転看板ラベル
２３ｂ    回転看板ラベル貼付面
２４      回転看板ボックス嵌合部材
２５      照明標示パネルボックス
２６      照明標示パネルボックス嵌合部材
２７      ＬＥＤ照明具装着部材
２８      ＬＥＤ照明具
２９      広告透明パネル
３０      リニアブッシュベアリング
３１      リニアブッシュベアリング取付孔
３２      キャップボルト
３３      キャップボルトベアリング部固定用螺嵌孔
３４      看板設置用プレート台座
３５      チャネル状標示パネルボックス装着台座
３６ａ    照明標示パネルボックス装着孔
３６ｂ    回転看板ボックス装着孔
３７      機器設置のスペーサ
３８      コの字状スペーサ
３９      プレート固定台座
４０      ソーラーコントローラ
４１      充電池
４２      太陽電池パネルからの出力ケーブル
４３      負荷への供給ケーブル
４４      中継コネクター
４５      スイッチ
４６ａ    六角ナット
４６ｂ    大六角ナット
４７ａ    ワッシャ
４７ｂ    大ワッシャ
【図１】
0003160760.tif 000003
【図２】
0003160760.tif 000004
【図３】
0003160760.tif 000005
【図４】
0003160760.tif 000006
【図５】
0003160760.tif 000007
【図６】
0003160760.tif 000008
【図７】
0003160760.tif 000009
【図８】
0003160760.tif 000010
【図９】
0003160760.tif 000011
【図１０】
0003160760.tif 000012
【図１１】
0003160760.tif 000013
【図１２】
0003160760.tif 000014
【図１３】
0003160760.tif 000015
【図１４】
0003160760.tif 000016
【図１５】
0003160760.tif 000017
【図１６】
0003160760.tif 000018
【図１７】
0003160760.tif 000019